(57)【要約】【課題】  身体障害者や健常者の両方の使用形態に対応でき、コンパクトに設置され且つトイレットペーパーの巻き取りと切断とが的確にできるようにしたトイレットペーパーの巻取・切離装置を提供する。【解決手段】  壁面１に装着したホルダーＨのロール紙１０と、このロール紙の下方位置の壁面に保持されて折畳位置（Ａ）及び前面に突出した繰出位置（Ｂ）に維持される支持軸７と、この支持軸の先端に一方クラッチ機構ＣＯを介して一方向のみ回転可能とした回転支持軸９と、この回転支持軸に装着して上記ホルダーのロール紙から引き出したトイレットペーパー１０Ａを巻き付ける２本の巻棒５Ａ，５Ｂからなる巻取体５と、上記巻棒の一方自由端を長くした手回しハンドル部５Ｅと、上記ホルダーと巻取体との間に張架するトイレットペーパーを切断する鋏２０からなるものである。【選択図】図１
2005334014.tif 000002
【特許請求の範囲】
【請求項１】
壁面に装着したホルダーの支持軸に保持されたロール紙と、このロール紙の下方位置の壁面に保持されて壁面に接近した折畳位置及び前面に突出した繰出位置に維持される片持ち支持軸と、この片持ち支持軸の先端に一方クラッチ機構を介して一方向のみ回転可能とした回転支持軸と、この回転支持軸に装着して上記ホルダーのロール紙から引き出されたトイレットペーパーを絡ませて巻き付ける２本の巻棒からなる巻取体と、上記巻取体を構成する２本の巻棒の一方側の自由端を長くした手回しハンドル部と、上記ホルダーと巻取体との間に張架するトイレットペーパーの適所を切断する鋏と、を具備したことを特徴とするトイレットペーパーの巻取・切離装置。
【請求項２】
上記巻取体を構成する２本の巻棒の自由端側の間隔を僅か狭くしたことを特徴とする請求項１のトイレットペーパーの巻取・切離装置。
【発明の詳細な説明】
【技術分野】
【０００１】
本発明は、ロールからのトイレットペーパーの巻き取り切断操作が片手で出来るようにしたトイレットペーパーの巻取・切離装置に係り、特に、身体障害者や健常者の両方がペーパーの折り畳み巻き取りと切断とが的確にできるようにしたものに関する。
【背景技術】
【０００２】
従来、片手でトイレットペーパーの引き出しと折り畳みと切断操作が出来るようにしたトイレットペーパー巻き取り器が提供されている。その構成は、例えば、２本の巻棒間にはトイレットペーパーが通っていて、余剰の長さに切断できるカッターまで延びている。上記２本の巻棒の回転がはじまるとトイレットペーパーはカッター側とロール側の両方から巻かれる。仮にカッター側が短いと巻棒から抜けて巻けない。しかし、カッター側のトイレットペーパーが余剰の長さであるから、巻棒に掛かり、そこへロール側のトイレットペーパーに巻き込まれ、強力にロックするのでトイレットペーパーを巻き取ることができるトイレットペーパー巻き取り器である。（例えば、特許文献１参照。）。
【０００３】
また、別のトイレットペーパーの片手式巻き重ね及び切り離し装置は、基板に固定軸を取り付け、円板上に回転軸、ハンドル及び巻き受け軸を取り付けたトイレットペーパー巻き重ね体を、固定軸に回転自在に取り付け、基板の中間に水槽とひもによるトイレットペーパーの切り離し機構を設けたものである。（例えば、特許文献２参照。）。
【０００４】
【特許文献１】特開２０００−１３９６７号公報
【特許文献２】特開２００１−１４９２６０号公報
【発明の開示】
【発明が解決しようとする課題】
【０００５】
上記従来のトイレットペーパー巻き取り器の構成によると次のような問題があった。すなわち、両手が自由に使用できない身体障害者、高齢者、病人などの弱者のみを考慮したものである。このため、健常者のように両手使いでトイレットペーパーを直接に手で巻き取りたい場合には、上記巻取り器がロール紙を保持するホルダーの下方や側方に大きく突出して広い設置空間を占有するから巻き取り操作の障害となっている。また、トイレットペーパーは、ロール側から引出し巻棒を越えた下方のカッター側まで長く引出して置かないと操作できないという操作性の悪さとともに、この引出したペーパーがトイレ室内の大気・空気にさらされることとなって衛生的にも問題があった。
【０００６】
また、上記トイレットペーパーの片手式巻き重ね及び切り離し装置によると、ペーパーの切断手段を、水槽とひもによるトイレットペーパーの切り離し機構に求めたものである。このため、その設置は水平面を成す横方向に限定され、トイレ室内の設置面積を増大させるとともに、水槽内の水による切断に依存しているため、水の管理に手間がかかるばかりか衛生面にも問題があり、さらにトイレットペーパーの切断縁が湿ってしまい使用感が悪いという問題もある。
【０００７】
本発明はこのような点に基づいてなされたものでその目的とするところは、身体障害者や健常者に係りなく両方の使用形態に対応できるとともに、コンパクトに設置され且つトイレットペーパーの引出し量を最少限のもとに巻き取りと切断とが的確にできるようにしたトイレットペーパー巻取・切離装置を提供するものである。
【課題を解決するための手段】
【０００８】
上記目的を達成するべく本願発明の請求項１によるトイレットペーパーの巻取・切離装置は、壁面に装着したホルダーの支持軸に保持されたロール紙と、このロール紙の下方位置の壁面に保持されて壁面に接近した折り畳み位置及び前面に突出した繰り出し位置に維持される片持ち支持軸と、この片持ち支持軸の先端に一方クラッチ機構を介して一方向のみ回転可能とした回転支持軸と、この回転支持軸に装着して上記ホルダーのロール紙から引き出されたトイレットペーパーを絡ませて巻き付ける２本の巻棒からなる巻取体と、上記巻取体を構成する２本の巻棒の一方側の自由端を長くした手回しハンドル部と、上記ホルダーと巻取体との間に張架するトイレットペーパーの適所を切断する鋏と、を具備したことを特徴とするものである。
【０００９】
また、請求項２によるトイレットペーパーの巻取・切離装置は、請求項１のトイレットペーパーの巻取・切離装置において、上記巻取体を構成する２本の巻棒の自由端側の間隔を僅か狭くしたことを特徴とするものである。
【００１０】
すなわち、本発明のトイレットペーパーの巻取・切離装置は、身体障害者、高齢者、病人などの弱者のトイレ使用時には、壁面に装着したホルダーからロール紙を片手で引き出す。図示のものトイレットペーパーの巻取・切離装置は左手用であるから、左手だけで操作される。続いて、このロール紙から引き出されたトイレットペーパーは、下方位置に保持されて前面に突出した繰り出し位置に維持され一方クラッチ機構を介して一方向のみ回転可能とした回転支持軸に装着している巻取体の２本の巻棒に絡ませて巻き付けると、しっかした重ね巻きの巻き取りが行える。その重ね巻き取りは巻棒の一方側の自由端を長くした手回しハンドル部を片手操作により行われる。最後に、上記ホルダーと巻取体との間に巻取体の戻し拘束を司る一方クラッチ機構により、トイレットペーパーが張架され、この適所を片手操作が可能な鋏により切断される。切断後の巻取体に重ね巻きに巻き取られたトイレットペーパーは、片手で２本の巻棒の自由端側に引き出しと巻取体から外れる。これでトイレットペーパーは、その用途に使用される。
尚、健常者が使用する場合は、巻取体とこの方持ち支持軸を繰り出し位置から壁面に接近した折畳位置に後退される。これで、通常のトイレットペーパーのホルダーとして使用できる。
【００１１】
更に、請求項２のトイレットペーパーの巻取・切離装置によると、巻取体を構成する２本の巻棒の自由端側の間隔を僅か狭くしているから、切断後の巻取体に重ね巻きに巻き取られたトイレットペーパーは、片手で２本の巻棒の自由端側に引き出すと、巻取体から容易に外れてその操作性に優れている。
【発明の効果】
【００１２】
本発明によるトイレットペーパーの巻取・切離装置は、身体障害者や健常者に係りなく両方の使用形態に対応できるとともに、巻取体は壁面に接近した折畳位置及び前面に突出した繰出位置に維持されるから、コンパクトにホルダー下側の壁面に設置され且つトイレットペーパーの引出し量を最少限のもとに巻き取りと切断とが的確にできる効果がある。  
【００１３】
また、本発明によるトイレットペーパーの巻取・切離装置は、巻取体の２本の巻棒における自由端側の間隔を僅か狭くしているから、切断後の巻取体に重ね巻きに巻き取られたトイレットペーパーは、片手で２本の巻棒の自由端側に引き出せられ、巻取体から容易に外れて優れた操作性が発揮される。
【発明を実施するための最良の形態】
【００１４】
以下、図１乃至図４を参照して本発明の第１の実施の形態を説明する。図１はイレットペーパー巻取・切離装置の構成を示す斜視図であり、図２は側面図、図３は一方クラッチの拡大図、図４は基体の断面図、図５は作用図である。以下、トイレットペーパーの巻取・切離装置１００の構成を説明する。まず、壁面１にはトイレットペーパーのロール紙１０を支持軸３に回動自在に保持したホルダーＨが装着されている。このホルダーＨの下方位置の壁面１には巻取体５が設置されている。その構成は、壁面１に装着した基体６の軸受６Ａに片持ち支持軸７の直角に曲げた基部７Ａが挿入され、先端側のバネＢにより程良いブレーキ力が付与されている。これで、上記片持ち支持軸７はその先端部７Ｂが壁面に接近した折畳位置（Ａ）及び前面に９０°突出した繰出位置（Ｂ）に止座５Ｂに止めて維持される。上記支持軸７の先端部７Ｂに、一方クラッチ機構ＣＯを介して一方向（図示では手前側）にのみ回転可能とした回転支持軸９が壁面と平行に片持ちで支持されている。上記一方クラッチ機構ＣＯは、図３に示すように、内輪Ｒ１と外輪Ｒ２とからなり、多数のテーパー面ｔ１，ｔ２内にボールＢＯが嵌入されていてバネＢｎで狭い側に押し圧された公知の構成である。これにより、外輪Ｒ２をテーパー面の広い側に回転するとボールが広い側に移動して回転を拘束しない。しかし、外輪Ｒ２をテーパー面ｔ１，ｔ２の狭い側に回転するとボールがバネを押して狭い側に移動して回転を拘束する。上記回転支持軸９に、２本の巻棒５Ａ，５Ｂと連絡棒５Ｃ，５Ｄをコ型に枠組した巻取体５における連絡棒５Ｃ，５Ｄの中腹が装着されている。これで、２本の巻棒５Ａ，５Ｂは壁面と平行状態に支持され開放端側（図示では左側）からトイレットペーパー１０Ａを差入れることができる。
【００１５】
しかして、上記ホルダーＨのロール紙１０から引き出されたトイレットペーパー１０Ａの先端縁を巻棒５Ａ，５Ｂの一方に片手で押え絡ませて巻き付けることができる。尚、操作性を向上させるために、上記巻取体５を構成する２本の巻棒５Ａ，５Ｂの一方側の自由端５Ａを長くした手回しハンドル部５Ｅを形成する。また、上記巻取体５を構成する２本の巻棒５Ａ，５Ｂの自由端側の間隔を僅か狭くし、巻き取ったトイレットペーパー１０Ａ´の抜き取りを容易にする。そして、上記ホルダーと巻取体との間に張架するトイレットペーパーの適所を切断する鋏２０を適所に備えている。尚、巻き取ったトイレットペーパー１０Ａ´の抜き取りを容易にするための構成としては、図６に示すように、巻取体５を構成する２本の巻棒５Ａ，５Ｂを平行に形成するとともに、一方の巻棒５Ａの支持軸７側に楔状の凸部を設けてもよい。
【００１６】
以上の構成を基にその作用を説明する。例えば、図５に示すように、本発明のトイレットペーパーの巻取・切離装置１００は、身体障害者、高齢者、病人などの弱者のトイレ使用時には、壁面１に装着したホルダーＨからロール紙１０を片手で引き出す。図示のトイレットペーパーの巻取・切離装置は左手用であるから、左手ＬＨだけで操作される。続いて、このロール紙１０から引き出されたトイレットペーパー１０Ａは、下方位置に保持されて前面に突出した繰り出し位置（Ｂ）に維持され一方クラッチ機構ＣＯを介して一方向（手前側）のみ回転可能な回転支持軸９に装着している巻取体５の２本の巻棒５Ａ，５Ｂに絡ませて巻き付けると、しっかりした重ね巻きの巻き取りが行える。この時、巻き取り操作は、巻棒の一方側の自由端を長くした手回しハンドル部５Ｅを片手操作により行われる。最後に、上記ホルダーＨと巻取体５との間に巻取体の戻し拘束をする一方クラッチ機構ＣＯにより、トイレットペーパー１０Ａが張架され、この適所を片手操作が可能な鋏２０により切断される。切断後の巻取体５に重ね巻きに巻き取られたトイレットペーパー１０Ａ´は、片手で２本の巻棒５Ａ，５Ｂの自由端側に引き出して巻取体５から外される。これでトイレットペーパー１０Ａは、巻き取られ切り離された状態で片手で使用される。尚、健常者が使用する場合は、巻取体５とこの片持ち支持軸７を繰り出し位置から壁面１に接近した折畳位置（Ａ）に後退される。これで、通常のトイレットペーパーのホルダーとして邪魔にならずに使用できる。
【００１７】
尚、上記トイレットペーパーの巻取・切離装置１００によると、巻取体５を構成する２本の巻棒５Ａ，５Ｂの自由端側の間隔を僅か狭くしているから、切断後の巻取体に重ね巻きされたトイレットペーパー１０Ａ´は、片手で２本の巻棒の自由端側に引き出すと、巻取体から容易に外れるからその操作性に優れペーパーの巻き取り切断操作が容易に行われる。
【００１８】
上記本実施の形態によると次のような効果を奏する。まず、本発明によるトイレットペーパーの巻取・切離装置１００は、身体障害者や健常者に係りなく両方の使用形態に対応できるとともに、巻取体５は壁面１に接近した折畳位置及び前面に突出した繰出位置に維持されるから、コンパクトにホルダー下側の壁面に設置され且つトイレットペーパーの引出し量を最少限のもとに巻き取りと切断とが的確にできる。
【００１９】
尚、本発明の第１の実施の形態は、左利きのトイレットペーパーの巻取・切離装置１００の構成で説明したが、右手効きで右手操作ができるトイレットペーパーの巻取・切離装置とすることができる。片持ち支持軸７の支持方向と、巻取体５を構成する２本の巻棒５Ａ，５Ｂの一方側の自由端を長くした手回しハンドル部５Ｅの方向を左右逆向きとすれば良い。しかして、右手効きで右手操作ができるものであり、上記第１の実施の形態のトイレットペーパーの巻取・切離装置１００と同様な作用・効果が得られる。
【産業上の利用可能性】
【００２０】
本発明は、トイレットペーパーの巻取・切離装置を例に挙げて説明したが、それに限定されるものではなく、様々なペーパー巻取・切離装置にも適用可能である。
【図面の簡単な説明】
【００２１】
【図１】本発明の第１の実施の形態を示し、トイレットペーパーの巻取・切離装置の斜視図である。
【図２】本発明の第１の実施の形態を示し、トイレットペーパーの巻取・切離装置の側面図である。
【図３】本発明の第１の実施の形態を示し、一方クラッチの拡大図である。
【図４】本発明の第１の実施の形態を示し、基体の断面図である。
【図５】本発明の第１の実施の形態を示し、トイレットペーパーの巻取・切離装置の作用図である。
【図６】本発明の第２の実施の形態を示し、トイレットペーパーの巻取・切離装置の正面図である。
【符号の説明】
【００２２】
１              壁面
３              支持軸
５              巻取体
５Ａ，５Ｂ      巻棒
５Ｃ，５Ｄ      連絡棒
５Ｅ            手回しハンドル部
６              基体
６Ａ            軸受
６Ｂ            止座
７              片持ち支持軸
７Ａ            基部
７Ｂ            先端部
９              回転支持軸
１０            ロール紙
１０Ａ          トイレットペーパー
１０Ａ´        巻き取ったトイレットペーパー
２０            鋏
Ｂ              バネ
ＢＯ            ボール
（Ａ）          折畳位置
（Ｂ）          繰出位置
ＣＯ            一方クラッチ機構
ＬＨ            左手
Ｒ１，Ｒ２      内輪と外輪
ｔ１，ｔ２      テーパー面
【図１】
2005334014.tif 000003
【図２】
2005334014.tif 000004
【図３】
2005334014.tif 000005
【図４】
2005334014.tif 000006
【図５】
2005334014.tif 000007
【図６】
2005334014.tif 000008